(57)【要約】【課題】装置の構成に応じたハードウェアの更新、内視鏡そのものの増設等を行うことなく、内視鏡制御装置に接続可能な複数の種類の内視鏡各々に対し、動作を有効または無効にすることのできる内視鏡制御装置を提供する。【解決手段】内視鏡装置１０１は、内視鏡１と、内視鏡制御装置７とを有し、内視鏡制御装置７は、内視鏡１の種類を識別する内視鏡識別部９と、内視鏡識別部９によって識別された内視鏡１の種類に応じて、内視鏡１の動作を有効または無効にする制御部１０とを有する。【選択図】図３
2006034541.tif 000002
【特許請求の範囲】
【請求項１】
内視鏡の制御を行う内視鏡制御装置であって、
前記内視鏡制御装置は、前記内視鏡の種類を識別する識別手段と、
前記識別手段によって識別された前記内視鏡の種類に応じて、前記内視鏡の動作を有効または無効にする動作制御手段と、
を有することを特徴とする内視鏡制御装置。
【請求項２】
さらに、前記内視鏡の動作を有効または無効にするために必要な情報を記録する記録手段を有し、前記動作制御手段は、前記記録手段が有する前記情報に基づいて前記内視鏡の種類を識別し、前記内視鏡の動作を有効または無効にすることを特徴とする請求項１記載の内視鏡制御装置。
【請求項３】
前記記録手段が有する前記情報は、前記内視鏡制御装置の外部に設けられた端末装置において変更可能であることを特徴とする請求項２記載の内視鏡制御装置。
【請求項４】
内視鏡と、
前記内視鏡の制御を行う内視鏡制御装置とを有し、
前記内視鏡制御装置は、前記内視鏡の種類を識別する識別手段と、
前記識別手段によって識別された前記内視鏡の種類に応じて、前記内視鏡の動作を有効または無効にする動作制御手段と、
を有することを特徴とする内視鏡装置。
【発明の詳細な説明】
【技術分野】
【０００１】
本発明は、内視鏡制御装置および内視鏡装置に関し、特に、内視鏡制御装置に接続可能な複数の種類の内視鏡各々に対し、動作を有効または無効にすることのできる内視鏡制御装置および内視鏡装置に関するものである。
【背景技術】
【０００２】
従来より、生体内の各器官、構造物の管路等の被検体に対し、観察、検査等を行うための装置として、内視鏡装置が広く用いられている。このような内視鏡装置は、内視鏡と、該内視鏡を制御するための内視鏡制御装置とを具備している。
【０００３】
一般的に、内視鏡制御装置には、複数の種類の内視鏡を接続することが可能である。また、内視鏡制御装置は、複数の種類の内視鏡各々に対して個別に設定された設定内容に基づき、各種制御を行う。さらに、内視鏡制御装置は、本来接続されるべきではない内視鏡が内視鏡制御装置に接続された場合、該内視鏡の動作を無効とする。前述したような各種制御等を行うために、内視鏡制御装置には、内視鏡の種類を識別するための識別手段が設けられている。前述したような識別手段を具備する内視鏡制御装置としては、例えば、特許文献１および特許文献２において提案されているような装置が広く知られている。
【０００４】
特許文献１に提案されている電子式内視鏡を用いる撮像装置は、主に、電子式内視鏡と、内視鏡制御装置である撮像装置とから構成される。さらに、前記電子式内視鏡は、単板式撮像素子と、ピン群とを有し、また、前記撮像装置は、識別手段である内視鏡判別回路を有している。このような構成において、内視鏡判別回路は、ピン群におけるジャンパの接続状態により、電子式内視鏡の種類の判別を行う。そして、撮像装置は、前記判別結果に応じ、電子式内視鏡に対して各種制御を行う。
【０００５】
また、特許文献２に提案されている内視鏡装置は、主に、内視鏡と、内視鏡制御装置である制御回路とから構成される。さらに、前記内視鏡は、スコープ識別用抵抗を有し、また、前記内視鏡と前記制御回路との間には、識別手段であるスコープ識別回路が設けられている。このような構成において、スコープ識別回路は、内視鏡毎に異なるスコープ識別用抵抗の抵抗値を検出することにより、内視鏡の種類の識別を行う。そして、制御回路は、前記識別結果に応じ、内視鏡に対して各種制御を行う。
【特許文献１】特開昭６３−２３４９３８号公報
【特許文献２】特開昭６２−８４７３５号公報
【発明の開示】
【発明が解決しようとする課題】
【０００６】
しかし、特許文献１に提案されている電子式内視鏡を用いる撮像装置および特許文献２に提案されている内視鏡装置は、両装置とも判別可能な内視鏡の種類が最大８種類しかなく、また、内視鏡の種類を特定するための識別手段がハードウェアにより構成されている。そのため、特許文献１に提案されている電子式内視鏡を用いる撮像装置および特許文献２に提案されている内視鏡装置において、判別可能な内視鏡の種類を増やす場合は、装置の構成に応じたハードウェアの更新、内視鏡そのものの増設等が必要となる。その結果、手術、検査等のコストに影響を及ぼしてしまうといった課題があった。
【０００７】
本発明は、前述した点に鑑みてなされたものであり、装置の構成に応じたハードウェアの更新、内視鏡そのものの増設等を行うことなく、内視鏡制御装置に接続可能な複数の種類の内視鏡各々に対し、動作を有効または無効にすることのできる内視鏡制御装置を提供することを目的としている。
【課題を解決するための手段】
【０００８】
本発明における内視鏡制御装置は、内視鏡と、前記内視鏡に設けられ、被検体を撮像し、撮像した被検体の像を映像信号として送信する撮像手段と、前記撮像手段および前記内視鏡の制御を行う内視鏡制御装置とを有し、前記内視鏡制御装置は、前記内視鏡の種類を識別する識別手段と、前記識別手段によって識別された前記内視鏡の種類に応じて、前記内視鏡の動作を有効または無効にする動作制御手段とを有する。
【発明の効果】
【０００９】
本発明における内視鏡制御装置によれば、装置の構成に応じたハードウェアの更新、内視鏡そのものの増設等を行うことなく、内視鏡制御装置に接続可能な複数の種類の内視鏡各々に対し、動作を有効または無効にすることができる。
【発明を実施するための最良の形態】
【００１０】
以下、図面を参照して本発明の実施の形態を説明する。
【００１１】
（第１の実施形態）
図１から図７は、本発明の第１の実施形態に係るものである。図１は、第１の実施形態に係る内視鏡装置の概観図である。図２は、第１の実施形態に係る内視鏡装置が有する内視鏡制御装置に接続される内視鏡のコネクタ部の構成を示す図である。図３は、第１の実施形態に係る内視鏡装置が有する内視鏡制御装置の内部構成を示す図である。図４は、第１の実施形態に係る内視鏡装置が有する内視鏡制御装置に設けられた、電源バックアップＲＡＭ内の使用状態を示す図である。図５は、電源バックアップＲＡＭ内に記録される識別コードの内容を示す図である。図６は、第１の実施形態に係る内視鏡装置が有する内視鏡制御装置に設けられた、電源バックアップＲＡＭ内の使用状態の変形例を示す図である。図７は、電源バックアップＲＡＭ内に記録される識別コードの内容の変形例を示す図である。
【００１２】
内視鏡装置１０１は、図１に示すように、内視鏡１と、ＣＣＵ（カメラコントロールユニット）である内視鏡制御装置７と、モニタ１４と、端末装置１８とからなる。また、内視鏡１は、挿入部２と、操作部３と、コネクタ部４を有する。挿入部２は、基端部が操作部３に接続され、また、先端部には撮像素子２ａが設けられている。撮像素子２ａは、被検体である体腔内等の撮像を行い、撮像した該被検体の像を、映像信号として送信する。操作部３は、術者が内視鏡１に対する各種操作を行うための、図示しないスイッチ等のインターフェースを有している。コネクタ部４は、ケーブル４ａを介して操作部３と接続されており、内視鏡制御装置７が有するコネクタ接続部８と着脱自在に構成されている。また、コネクタ部４は、図２に示すように、内部に回路部５を有し、また、回路部５には、識別回路６、撮像素子２ａから送信される映像信号の増幅を行う図示しない回路等が設けられている。識別回路６は、内視鏡１の種類を識別するための回路であって、特に、本実施形態においては、内視鏡１の種類により異なるような、所定の抵抗値を有する２つの抵抗により構成されている。内視鏡制御装置７は、内視鏡１および撮像素子２ａの制御を行うための装置であり、図３に示すような内部構成を有する。なお、内視鏡制御装置７の内部構成の詳細については、後程説明を行うものとする。モニタ１４は、内視鏡制御装置７に接続されており、内視鏡制御装置７から送信される映像信号に基づき、撮像素子２ａが撮像した被検体の像を表示する。端末装置１８は、内視鏡制御装置７に接続されており、術者の操作により、内視鏡制御装置７における設定内容の変更等を行うことができる。
【００１３】
ＣＣＵである内視鏡制御装置７は、図３に示すように、外表面部にコネクタ接続部８を有し、また、内視鏡識別部９と、制御部１０と、映像信号処理部１１と、映像合成部１２と、キャラクタジェネレータ部１３と、ＲＯＭ１５と、電源バックアップＲＡＭ１６と、通信インターフェース部１７と、撮像素子駆動部１９とを内部に有する。
【００１４】
コネクタ接続部８は、内視鏡制御装置７の内部において、内視鏡識別部９と、映像信号処理部１１と、撮像素子駆動部１９とに接続されており、内視鏡１のコネクタ部４と着脱自在に構成されている。識別手段である内視鏡識別部９は、図示しない電圧生成部を有し、コネクタ接続部８と、制御部１０とに接続されている。また、内視鏡識別部９は、識別回路６が有する２つの抵抗の抵抗値から、内視鏡１の種類を識別し、該識別の結果を識別信号として制御部１０に送信する。動作制御手段である制御部１０は、内視鏡制御装置７の内部に設けられた、内視鏡識別部９等の各部に接続されており、接続された各部の制御を行う。また、制御部１０は、内視鏡識別部９から送信される識別信号と、電源バックアップＲＡＭ１６に格納された、内視鏡の種類についての情報を含む識別コードとの照合を行い、該照合結果に応じて、内視鏡制御装置７の内視鏡１に対する動作を有効または無効にする。映像信号処理部１１は、コネクタ接続部８と、制御部１０と、映像合成部１２とに接続されており、撮像素子２ａから、コネクタ接続部８を介して送信される映像信号に対し、ノイズ除去等の所定の映像処理を行う。キャラクタジェネレータ部１３は、制御部１０と、映像合成部１２に接続されており、制御部１０から送信される制御信号に基づき、メニュー表示、エラー表示等をモニタ１４に表示するためのキャラクタ映像信号を生成し、該キャラクタ映像信号を映像合成部１２に対して送信する。映像合成部１２は、制御部１０と、映像信号処理部１１と、キャラクタジェネレータ部１３と、モニタ１４とに接続されており、映像信号処理部１１から送信される映像信号と、キャラクタジェネレータ部１３から送信されるキャラクタ映像信号とを合成し、合成後の映像信号をモニタ１４に対して送信する。ＲＯＭ１５は、読み出し専用のメモリであり、制御部１０と接続されている。また、ＲＯＭ１５は、制御部１０を制御するために必要となる、設定パラメータ等の所定の設定情報を格納している。なお、前記設定パラメータ等は、術者が端末装置１８の操作を行うことにより変更可能である。前記記録手段である電源バックアップＲＡＭ１６は、電池等の電源部材が接続されている、読み出しおよび書き込みが自在なメモリであり、制御部１０と接続されている。また、電源バックアップＲＡＭ１６は、制御部１０が、内視鏡識別部９から送信される識別信号に基づき、内視鏡の種類を識別するために必要となる情報である、識別コードを格納している。通信インターフェース部１７は、内視鏡制御装置７の内部においては、制御部１０に接続されており、内視鏡制御装置７の外部においては、端末装置１８に接続されている。また、通信インターフェース部１７は、内視鏡制御装置７から送信される各種信号を端末装置１８に対して送信し、端末装置１８から送信される各種信号を内視鏡制御装置７に対して送信する。撮像素子駆動部１９は、コネクタ接続部８と、制御部１０とに接続されており、制御部１０から送信される制御信号に基づいて駆動信号を生成し、該駆動信号を撮像素子２ａに送信することにより、撮像素子２ａを駆動する。
【００１５】
次に、以上のような構成において、内視鏡１が内視鏡制御装置７に接続された際に、内視鏡制御装置７が、内視鏡１の種類を識別し、内視鏡１の動作を有効または無効にする処理についての説明を行う。
【００１６】
内視鏡１のコネクタ部４が内視鏡制御装置７のコネクタ接続部８に接続されると、コネクタ部４の内部に設けられた回路部５の識別回路６と、コネクタ接続部８とが電気的に接続される。識別回路６と、コネクタ接続部８とが電気的に接続されると、内視鏡識別部９は、図示しない電圧生成部から識別回路６に対して所定の電圧を印加することにより、識別回路６に設けられた２つの抵抗の抵抗値を取得する。そして、内視鏡識別部９は、前記２つの抵抗の抵抗値の情報から、内視鏡１の種類を識別し、該識別の結果を識別信号として制御部１０に送信する。
【００１７】
制御部１０は、内視鏡識別部９から識別信号が送信された際に、電源バックアップＲＡＭ１６内に格納された識別コードと、前記識別信号との照合を行う。なお、識別コードは、図５に示すように、８ビットからなるデータであり、例えば、上位４ビットが撮像素子２ａの種類を表し、下位４ビットが内視鏡１の適応分野を表すようなデータとして構成されている。電源バックアップＲＡＭ１６は、図４に示すようなメモリテーブルを有し、前記メモリテーブルには、内視鏡制御装置７に接続した際に動作が有効となる内視鏡１の種類の識別コードが、例えば、メモリテーブルの先頭番地８０００Ｈから格納されている。また、また、前記メモリテーブルは、予備の部分として、終端となる番地に００Ｈという識別コードを格納している。制御部１０は、内視鏡識別部９から送信される識別信号と、電源バックアップＲＡＭ１６内に格納された識別コードとの照合を、電源バックアップＲＡＭ１６内のメモリテーブルの先頭番地に格納された識別コードから順番に識別コードを読み取ることにより行う。例えば、内視鏡識別部９から送信される識別信号に８２Ｈという情報が含まれていた場合、電源バックアップＲＡＭ１６内に同一内容を含む識別コードが格納されているため、制御部１０は、内視鏡識別部９から送信される識別信号と、電源バックアップＲＡＭ１６内に格納された識別コードとの照合の結果、動作を有効にするような種類の内視鏡１が内視鏡制御装置７に接続されたと判断し、撮像素子駆動部１９等を、該内視鏡１に応じた設定パラメータ等をもって動作させる。なお、所定の設定情報である前記設定パラメータ等は、制御部１０が動作を有効にするような種類の内視鏡１が内視鏡制御装置７に接続されたと判断した際に、ＲＯＭ１５から読み込まれる情報である。
【００１８】
また、例えば、内視鏡識別部９から送信される識別信号に６２Ｈという情報が含まれていた場合、電源バックアップＲＡＭ１６内に同一内容を含む識別コードが格納されていないため、制御部１０は、内視鏡識別部９から送信される識別信号と、電源バックアップＲＡＭ１６内に格納された識別コードとの照合の結果、動作を無効にするような種類の内視鏡１が内視鏡制御装置７に接続されたと判断し、映像信号処理部１１に対し、モニタ１４にカラーバーを表示させる制御信号を送信する。なお、動作を無効にするような種類の内視鏡１が内視鏡制御装置７に接続された場合にモニタ１４に表示させる内容は、カラーバーでなくとも良く、例えば、任意の色信号を表示させたり、キャラクタジェネレータ部１３に任意の文字列を表示させたりしても良い。
【００１９】
なお、電源バックアップＲＡＭ１６内に格納された識別コードと、前記識別信号との照合は、制御部１０により、一定の時間間隔毎に行われる。そのため、ある所定の時間における照合結果が、前記所定の時間の１回前の時間における照合結果と異なる場合にのみ、前述した処理が行われ、ある所定の時間における照合結果が、前記所定の時間の１回前の時間における照合結果と同じ場合には、前記所定の時間の１回前の時間における設定パラメータ等が維持される。
【００２０】
また、動作を有効にするような種類の内視鏡１の種類を増やしたい場合には、術者が端末装置１８を操作し、電源バックアップＲＡＭ１６内のメモリテーブルを書き換えるためのコマンドを入力した後、対象となる内視鏡１の識別コードをメモリテーブルの空き領域に入力すれば良い。なお、ＲＯＭ１５が、フラッシュメモリ等の読み出しおよび書き込みが自在なメモリにより構成されている場合、識別コードの入力に併せて、ＲＯＭ１５が有する所定の設定情報である設定パラメータ等が変更されても良いし、また、ＲＯＭ１５が有する設定パラメータ等の変更に併せて、識別コードが追加されても良い。
【００２１】
さらに、動作を有効にするような種類の内視鏡１の種類を減らしたい場合には、術者が端末装置１８を操作し、電源バックアップＲＡＭ１６内のメモリテーブルを書き換えるためのコマンドを入力した後、対象となる内視鏡１の識別コードをメモリテーブルから削除すれば良い。なお、ＲＯＭ１５が、フラッシュメモリ等の読み出しおよび書き込みが自在なメモリにより構成されている場合、識別コードの削除に併せて、ＲＯＭ１５が有する所定の設定情報である設定パラメータ等が変更されても良いし、また、ＲＯＭ１５が有する設定パラメータ等の変更に併せて、識別コードが削除されても良い。
【００２２】
また、本実施形態の変形例として、電源バックアップＲＡＭ１６が、図６に示すようなメモリテーブルを有していても良い。この場合、図７に示すように、識別コードのビット幅は１６ビットとして構成されている。本変形例における識別コードは、上位４ビットが撮像素子２ａの種類を表し、次の４ビットが内視鏡１の適応分野を表し、最下位ビットが識別コードの有効もしくは無効を示すフラグを表すように構成されている。
【００２３】
本変形例においては、まず、制御部１０が、内視鏡識別部９から送信された識別信号と、電源バックアップＲＡＭ１６内に格納された識別コードの上位８ビットとの照合を行う。そして、照合の結果、制御部１０が、動作を有効にするような種類の内視鏡１が内視鏡制御装置７に接続されたと判断した場合、識別コードの最下位ビットのフラグの確認を行う。識別コードの最下位ビットのフラグが１に設定されていた場合、制御部１０は、有効な識別コードであると判断し、撮像素子駆動部１９等を、該内視鏡１に応じた設定パラメータ等をもって動作させる。また、識別コードの最下位ビットのフラグが０に設定されていた場合、制御部１０は、無効な識別コードであると判断し、仮に動作を有効にするような種類の内視鏡１が内視鏡制御装置７に接続されていたとしても、前記内視鏡１の動作を無効とし、映像信号処理部１１に対し、モニタ１４にカラーバーを表示させる制御信号を送信する。なお、電源バックアップＲＡＭ１６内に、内視鏡識別部９から送信される識別信号と同一内容を含む識別コードが格納されていない場合の処理内容は、本実施形態の説明において前述した内容と同様であるため、本変形例の説明においては、説明を省略するものとする。
【００２４】
最下位ビットのフラグが０に設定されている無効な識別コードを、有効な識別コードに変更したい場合には、術者が端末装置１８を操作し、電源バックアップＲＡＭ１６内のメモリテーブルを書き換えるためのコマンドを入力した後、対象となる内視鏡１の識別コードのフラグを１に設定すれば良い。なお、ＲＯＭ１５が、フラッシュメモリ等の読み出しおよび書き込みが自在なメモリにより構成されている場合、識別コードのフラグの変更に併せて、ＲＯＭ１５が有する所定の設定情報である設定パラメータ等が変更されても良いし、また、ＲＯＭ１５が有する設定パラメータ等の変更に併せて、識別コードのフラグが変更されても良い。
【００２５】
また、最下位ビットのフラグが１に設定されている有効な識別コードを、無効な識別コードに変更したい場合には、術者が端末装置１８を操作し、電源バックアップＲＡＭ１６内のメモリテーブルを書き換えるためのコマンドを入力した後、対象となる内視鏡１の識別コードのフラグを０に設定すれば良い。なお、ＲＯＭ１５が、フラッシュメモリ等の読み出しおよび書き込みが自在なメモリにより構成されている場合、識別コードのフラグの変更に併せて、ＲＯＭ１５が有する所定の設定情報である設定パラメータ等が変更されても良いし、また、ＲＯＭ１５が有する設定パラメータ等の変更に併せて、識別コードのフラグが変更されても良い。
【００２６】
なお、本実施形態においては、電源バックアップＲＡＭ１６内のメモリテーブルおよび識別コードのビット幅は、８ビットもしくは１６ビットに限らず、任意のビット幅を有していても良い。また、本実施形態においては、撮像素子２ａの種類と、内視鏡１の適応分野と、識別コードの有効もしくは無効を示すフラグとに割り当てられるビット幅は、前述したようなビット幅に限らず、任意のビット幅を有していても良い。
【００２７】
本実施形態における内視鏡制御装置７は、電源バックアップＲＡＭ１６内に格納されている識別コードを変更することにより、ハードウェアの更新、内視鏡そのものの増設等を行うことなく、内視鏡制御装置７に接続可能である内視鏡１の各々に対し、動作を有効または無効に設定することができる。そのため、手術、検査等におけるコストを低減することができる。
【００２８】
さらに、本実施形態の変形例のような電源バックアップＲＡＭ１６内のメモリテーブルおよび識別コードを有する内視鏡制御装置７は、内視鏡１の動作を有効もしくは無効とするフラグを含む識別コードを有する。そのため、フラグ変更の操作のみにより、内視鏡制御装置７に接続可能である内視鏡１の各々に対し、より簡便に動作を有効または無効に設定することができ、その結果、手術、検査等にかかる時間を短縮することができる。
【００２９】
（第２の実施形態）
図８から図１０は、本発明の第２の実施形態に係るものである。なお、第１の実施形態と同様の構成を持つ部分については、詳細説明は省略する。また、第１の実施形態と同様の構成要素については、同一の符号を用いて説明は省略する。
【００３０】
図８は、第２の実施形態に係る内視鏡装置が有する内視鏡制御装置の内部構成を示す図である。図９は、第２の実施形態に係る内視鏡装置が有する内視鏡制御装置において、内視鏡制御装置に接続可能である内視鏡の各々に対し、動作を有効または無効に設定する方法の変形例を示すフローチャートである。図１０は、第２の実施形態に係る内視鏡装置が有する内視鏡制御装置において、内視鏡制御装置に接続可能である内視鏡の各々に対し、動作を有効または無効に設定する設定を行うための設定画面の変形例である。
【００３１】
本実施形態の内視鏡制御装置７ａは、第１の実施形態の内視鏡制御装置７の構成に加え、キーボードインターフェース部２０を有し、また、内視鏡制御装置７ａの外部または概評面上には、キーボード２１が設けられている。
【００３２】
キーボードインターフェース部２０は、内視鏡制御装置７ａの内部においては、制御部１０に接続されており、内視鏡制御装置７ａの外部においては、キーボード２１に接続されている。また、キーボードインターフェース部２０は、内視鏡制御装置７ａから送信される各種信号をキーボード２１に対して送信し、キーボード２１から送信される各種信号を内視鏡制御装置７ａに対して送信する。キーボード２１は、図示しないＥｓｃキー等の複数のキーを有し、内視鏡制御装置７ａに接続されている。また、キーボード２１は、術者の操作により、識別コードの入力等の操作を行うことができる。
【００３３】
本実施形態の内視鏡制御装置７ａにおいては、制御部１０により、動作を無効にするような種類の内視鏡１が内視鏡制御装置７ａに接続されたと判断された場合、制御部１０は、キャラクタジェネレータ部１３に対し、識別コードの入力を術者に対して促すメッセージをモニタ１４に表示させるような制御信号を送信する。キャラクタジェネレータ部１３は、制御部１０から送信される前記制御信号に基づき、識別コードの入力を術者に対して促すメッセージを生成し、生成したメッセージを信号化して映像合成部１２に対して送信する。映像合成部１２は、キャラクタジェネレータ部１３から送信されるメッセージを受信し、該メッセージが、モニタ１４において、青い背景色の上に表示されるように映像を合成および信号化し、合成後の映像信号をモニタ１４に対して送信する。
【００３４】
識別コードの入力を促すメッセージがモニタ１４に表示されている場合において、所定の時間内に、術者がキーボード２１により識別コードを入力すると、制御部１０は、該識別コードと、内視鏡識別部９から送信された識別信号との照合を行う。そして、照合の結果、前記識別コードと、前記識別信号とが一致した場合、制御部１０は、内視鏡制御装置７ａに接続されている内視鏡１の動作を有効にするため、電源バックアップＲＡＭ１６内のメモリテーブルの空き領域に、前記識別コードを格納する。なお、前記識別コードが、第１の実施形態の変形例において説明したようなフラグを有する場合、前記識別コードは、フラグが１の状態として、電源バックアップＲＡＭ１６内のメモリテーブルに格納される。
【００３５】
なお、識別コードの入力を促すメッセージがモニタ１４に表示されている場合において、前記所定の時間内に、術者がキーボード２１の操作を行わない場合、制御部１０は、映像信号処理部１１に対し、モニタ１４にカラーバーを表示させる制御信号を送信する。そして、モニタ１４にカラーバーが表示されている状態において、例えば、制御部１０は、術者がキーボード２１の任意のキーを操作したことを検知すると、該検知結果に基づいて、カラーバーの表示を中断し、識別コードの入力を促すメッセージを再び表示させる。
【００３６】
また、術者がキーボード２１により入力した識別コードと、内視鏡識別部９から送信された識別信号との照合結果において、前記識別コードと、前記識別信号とが一致しない場合、制御部１０は、キャラクタジェネレータ部１３に対し、エラーを示す内容の文字列をモニタ１４に表示させるような制御信号を送信する。
【００３７】
また、本実施形態の変形例として、内視鏡制御装置７ａに対する内視鏡１の接続の有無に関わらず、術者がキーボード２１を操作することにより、図１０に示すような設定画面を表示させ、そして、該設定画面において、術者が、内視鏡制御装置７ａに接続可能である内視鏡１に対し、動作を有効または無効に設定する設定を行えるようにしても良い。術者が、図１０に示すような設定画面において、内視鏡制御装置７ａに接続可能である内視鏡１に対し、動作を有効または無効に設定する設定を行うための方法について、図９を参照しつつ説明を行う。
【００３８】
まず、術者が、キーボード２１のＡｌｔキーと、Ｃｔｒｌキーと、Ｄｅｌキーを同時に押下する（ステップＳ１）と、図１０に示すような設定画面がモニタ１４に表示される（ステップＳ２）。前記設定画面が表示されている状態において、術者が、キーボード２１の上矢印キー（↑キー）または下矢印キー（↓キー）を押下する（ステップＳ３）と、選択されている識別コードが変更される（ステップＳ５）。そして、「追加設定」以外の各識別コードが選択されている状態において、術者が、キーボード２１の左矢印キー（←キー）または右矢印キー（→キー）を押下する（ステップＳ４）と、選択されている識別コードのフラグを「ＯＮ」または「ＯＦＦ」に切り替えることができる（ステップＳ８）。術者が、キーボード２１の左矢印キー（←キー）または右矢印キー（→キー）を押下することにより、選択されている識別コードのフラグが「ＯＮ」に設定されると、該識別コードを含む識別信号が内視鏡識別部９から送信された場合、制御部１０は、内視鏡制御装置７ａに接続されている内視鏡１の動作を有効にする。また、術者が、キーボード２１の左矢印キー（←キー）または右矢印キー（→キー）の押下することにより、選択されている識別コードのフラグが「ＯＦＦ」に設定されると、該識別コードを含む識別信号が内視鏡識別部９から送信された場合、制御部１０は、内視鏡制御装置７ａに接続されている内視鏡１の動作を無効にする。
【００３９】
また、電源バックアップＲＡＭ１６内のメモリテーブルに格納されていない識別コードを追加したい場合は、図１０に示すような設定画面がモニタ１４に表示されている状態において、術者が、キーボード２１の上矢印キー（↑キー）または下矢印キー（↓キー）を押下することにより（ステップＳ３）、「追加設定」を選択する。その後、「追加設定」が選択されている状態において、術者が、キーボード２１の左矢印キー（←キー）または右矢印キー（→キー）を押下することにより、フラグを「ＹＥＳ」に設定し、その後さらに、術者が、キーボード２１のＥｎｔｅｒキーを押下する（ステップＳ６）ことにより、未登録の識別コードを示す「００」が選択される。そして、電源バックアップＲＡＭ１６内のメモリテーブルの空き領域に格納された、未登録の識別コードを示す「００」が選択されている状態において、術者が、キーボード２１の数字キー、英字キー等を押下することにより、識別コードを追加することができる。
【００４０】
なお、術者が、キーボード２１のＥｓｃキーを押下する（ステップＳ９）ことにより、モニタ１４における設定画面の表示を終了させる（ステップＳ１０）ことができる。
【００４１】
本実施形態における内視鏡制御装置７ａは、キーボード２１を接続することができるため、第１の実施形態における内視鏡制御装置７のように、端末装置１８からのコマンド入力を行わなくとも、電源バックアップＲＡＭ１６内に格納された識別コードの内容の変更が可能である。その結果、本実施形態における内視鏡制御装置７ａは、第１の実施形態における内視鏡制御装置７に比べ、術者がより簡便に識別コードの内容の変更を行うことが可能である。その結果、術者は、手術、検査等をスムーズに進めることができる。
【００４２】
さらに、本実施形態の変形例のような内視鏡制御装置７ａは、図１０に示すような設定画面をモニタ１４に表示することができる。そのため、前述した効果に加え、術者は、電源バックアップＲＡＭ１６内に格納されている識別コードのうち、有効であるものと無効であるものとの確認を簡便に行うことができる。その結果、術者が手術、検査等を行う際に、内視鏡制御装置７ａに接続しても動作しないような内視鏡１を接続することを防止することができ、さらに手術、検査等をスムーズに進めることができる。
【図面の簡単な説明】
【００４３】
【図１】第１の実施形態に係る内視鏡装置の概観図。
【図２】第１の実施形態に係る内視鏡装置が有する内視鏡制御装置に接続される内視鏡のコネクタ部の構成を示す図。
【図３】第１の実施形態に係る内視鏡装置が有する内視鏡制御装置の内部構成を示す図。
【図４】第１の実施形態に係る内視鏡装置が有する内視鏡制御装置に設けられた、電源バックアップＲＡＭ内の使用状態を示す図。
【図５】電源バックアップＲＡＭ内に記録される識別コードの内容を示す図。
【図６】第１の実施形態に係る内視鏡装置が有する内視鏡制御装置に設けられた、電源バックアップＲＡＭ内の使用状態の変形例を示す図。
【図７】電源バックアップＲＡＭ内に記録される識別コードの内容の変形例を示す図。
【図８】第２の実施形態に係る内視鏡装置が有する内視鏡制御装置の内部構成を示す図。
【図９】第２の実施形態に係る内視鏡装置が有する内視鏡制御装置において、内視鏡制御装置に接続可能である内視鏡の各々に対し、動作を有効または無効に設定する方法の変形例を示すフローチャート。
【図１０】第２の実施形態に係る内視鏡装置が有する内視鏡制御装置において、内視鏡制御装置に接続可能である内視鏡の各々に対し、動作を有効または無効に設定する設定を行うための設定画面を示す図。
【符号の説明】
【００４４】
１  内視鏡、２  挿入部、２ａ  撮像素子、３  操作部、４  コネクタ部、４ａ  ケーブル、５  回路部、６  識別回路、７，７ａ  内視鏡制御装置、８  コネクタ接続部、９  内視鏡識別部、１０  制御部、１１  映像信号処理部、１２  映像合成部、１３  キャラクタジェネレータ部、１４  モニタ、１５  ＲＯＭ、１６  電源バックアップＲＡＭ、１７  通信インターフェース部、１８  端末装置、１９  撮像素子駆動部、２０  キーボードインターフェース部、２１  キーボード、１０１  内視鏡装置
代理人    弁理士    伊  藤    進
【図１】
2006034541.tif 000003
【図２】
2006034541.tif 000004
【図３】
2006034541.tif 000005
【図４】
2006034541.tif 000006
【図５】
2006034541.tif 000007
【図６】
2006034541.tif 000008
【図７】
2006034541.tif 000009
【図８】
2006034541.tif 000010
【図９】
2006034541.tif 000011
【図１０】
2006034541.tif 000012